(57)【要約】【課題】  排気循環式の電機掃除機の吸気流路と排気流路の機能を利用して、伸縮機能を有する隙間用アタッチメントやブラシアタッチメントを容易に伸縮させることができる電気掃除機を提供する。【解決手段】  アタッチメント３０のパイプ部３１と吸込具アタッチメント３６の中間に、吸込具アタッチメントの一部に伸縮可能な材料でなる蛇腹状の２重構造部３３を形成する。蛇腹状の２重構造部３３は外側の蛇腹部３４と内側の蛇腹部３５により構成されている。この状態で、電機掃除機を運転すると、蛇腹状の２重構造部３３の外側の蛇腹部３４と内側の蛇腹部３５との間の空間に排気循環風が送り込まれ、風圧により蛇腹状の２重構造部３３を延長することができる。また、掃除が終了した時には、ブラシ３６の先端を手で覆うことにより過速状態にして、排気圧より強い吸引力により蛇腹状の２重構造部３３を収縮させことができる。【選択図】      図３
2006174868.tif 000002
【特許請求の範囲】
【請求項１】
電動機送風機を内蔵した掃除機本体に連結されるホース、連結パイプ及び吸込具あるいは吸込具アタッチメントに、吸気流路と電動送風機からの排気を還流する排気流路を形成し、前記ホースを内側ホースと外側ホースで構成し、内側ホースで吸気流路を外側ホースで排気流路を形成し、前記連結パイプの内側に吸気流路を、連結パイプの外側の一部に排気流路を形成してなる電気掃除機において、吸気流路または排気流路の利用により前記吸込具アタッチメントの吸気流路を形成することを特徴とする電気掃除機。
【請求項２】
電動機送風機を内蔵した掃除機本体に連結されるホース、連結パイプ及び吸込具アタッチメントに、吸気流路と電動送風機からの排気を還流する排気流路を形成し、前記ホースを内側ホースと外側ホースで構成し、内側ホースで吸気流路を外側ホースで排気流路を形成し、前記連結パイプの内側に吸気流路を、連結パイプの外側の一部に排気流路を形成してなる電気掃除機において、前記吸込具アタッチメントの一部に伸縮可能な部材を配置し、排気流路の循環風を利用して前記吸込具アタッチメントを延長させることを特徴とする電気掃除機。
【請求項３】
電動機送風機を内蔵した掃除機本体に連結されるホース、連結パイプ及び吸込具アタッチメントに、吸気流路と電動送風機からの排気を還流する排気流路を形成し、前記ホースを内側ホースと外側ホースで構成し、内側ホースで吸気流路を外側ホースで排気流路を形成し、前記連結パイプの内側に吸気流路を、連結パイプの外側の一部に排気流路を形成してなる電気掃除機において、前記吸込具アタッチメントの一部に伸縮可能な部材を配置し、吸気流路の吸引力を利用して前記吸込具アタッチメントを縮めることを特徴とする電気掃除機。
【請求項４】
前記吸込具アタッチメントは一部に伸縮可能な材料でなる蛇腹状の２重構造を有することを特徴とする請求項２または請求項３記載の電気掃除機。
【請求項５】
電動機送風機を内蔵した掃除機本体に連結されるホース、連結パイプ及び吸込具に、吸気流路と電動送風機からの排気を還流する排気流路を形成し、前記ホースを内側ホースと外側ホースで構成し、内側ホースで吸気流路を外側ホースで排気流路を形成し、前記連結パイプの内側に吸気流路を、連結パイプの外側の一部に排気流路を形成してなる電気掃除機において、連結パイプと一体化された吸込具アタッチメントの排気流路になる部分を、吸気流路として切り替え利用可能としたことを特徴とする電気掃除機。
【請求項６】
前記連結パイプの延長上の吸気流路を形成する吸気パイプと、排気流路を形成する連結パイプと一体化された吸込具アタッチメントとは分割可能に構成され、前記吸気パイプと連結パイプと一体化された吸込具アタッチメントとを一体的に接合時には、通常の循環風の流路を形成し、分割して前記吸気パイプを取り外した時には、連結パイプと一体化された吸込具アタッチメントの通常の排気流路になる部分を、吸気流路として切り替え利用可能としたことを特徴とする請求項５記載の電気掃除機。
【請求項７】
前記連結パイプの延長上の吸気流路を形成する吸気パイプと、排気流路を形成する連結パイプと一体化された吸込具アタッチメントとは分割可能に構成され、連結パイプの吸気流路の内面には循環風経路中に設けられた切り替え流路穴とそれを塞ぐシャッターが配設され、前記吸気パイプと連結パイプと一体化された吸込具アタッチメントとを一体的に接合時には、連結パイプの吸気流路の内面の前記穴を前記シャッターで塞いで通常の循環風の流路を形成し、分割して前記吸気パイプを取り外した時には、前記シャッターをスプリングの作用により連結パイプの通常の吸気流路を塞ぐ構成とし、連結パイプと一体化された吸込具アタッチメントの通常の排気流路になる部分を、吸気流路として切り替え利用可能としたことを特徴とする請求項６記載の電気掃除機。
【発明の詳細な説明】
【技術分野】
【０００１】
本発明は電気掃除機に係り、特に新規な吸込具アタッチメントを具備した、掃除機本体に内蔵した電動送風機からの排気をホース及びパイプを介して吸込具に還流する排気循環式の電機掃除機に関する。
【背景技術】
【０００２】
一般的な床移動型の電気掃除機においては、掃除機本体に内蔵した電動送風機からの排気を総て本体背面側等に形成された排気口から外部に排出するようにしているが、電動送風機からの排気が総て排出されるため、かなりの勢いで外部に吹き出される。従って、この排気風によって床面や絨毯上に沈滞する塵埃が舞い上がって、部屋中に拡散するという不具合が生じる。
【０００３】
このような外部に吹き出される排気風を減らしたり、集塵効果を上げる等の目的で、従来より、掃除機本体に連結されるホース、パイプ及び吸込具に、吸気流路と共に電動送風機からの排気の一部又は全部を還流する排気流路を形成して成る電気掃除機が提案されている。
【０００４】
電気掃除機で床面等の掃除を行なうときは、通常の吸込具を用いるが、狭い場所や高い場所等の掃除を行なう場合のために、吸込具アタッチメントとして隙間用アタッチメントやブラシアタッチメントが存在し、そのアタッチメントを更にその長さを伸ばすことができる伸縮アタッチメントが存在する。そしてこれら吸込具アタッチメントは必要に応じて通常の吸込具と取り替えて用いられている。
【０００５】
これらの吸込具アタッチメントは、その名の通り、付属部品として別部品となっているので、そのたび毎に通常の吸込具と取り替えなければならず面倒であった。そこで、ホース端部に長孔を有する軸支部を形成すると共に、この軸支部に隙間用アタッチメントの軸を軸支し、ホースに接続される延長管を取り外してアタッチメントを長孔に沿って延長管側へスライドさせると共に回動させ、更にアタッチメントを長孔に沿って掃除機本体側へスライドさせることにより、アタッチメントをホース内周に気密的に嵌合させ、アタッチメントの取り替えを容易にしたものは知られている（例えば、特許文献１を参照）。
【０００６】
【特許文献１】特開２０００−５１１２４号公報
【発明の開示】
【発明が解決しようとする課題】
【０００７】
従来のものでは、排気循環式の電機掃除機の吸気流路と排気流路の機能を十分利用するものではなく、隙間用アタッチメントやブラシアタッチメントを取付けたとき、その長さを手作業により伸縮させる手間がかかり使用性に問題があった。また、隙間用アタッチメントをパイプに併設するものはパイプをスリム化、軽量化することができなかった。そこで本発明の目的は、排気循環式の電機掃除機の吸気流路と排気流路の機能を十分利用して、伸縮機能を有する隙間用アタッチメントやブラシアタッチメントを容易に伸縮させることができ、また、隙間用アタッチメントを一体的に併設する連結パイプのスリム化と軽量化を達成することができる電気掃除機を提供することである。
【課題を解決するための手段】
【０００８】
上記課題を解決するために、本発明の請求項１に係る電気掃除機は、電動機送風機を内蔵した掃除機本体に連結されるホース、連結パイプ及び吸込具あるいは吸込具アタッチメントに、吸気流路と電動送風機からの排気を還流する排気流路を形成し、前記ホースを内側ホースと外側ホースで構成し、内側ホースで吸気流路を外側ホースで排気流路を形成し、前記連結パイプの内側に吸気流路を、連結パイプの外側の一部に排気流路を形成してなる電気掃除機において、吸気流路または排気流路の利用により前記吸込具アタッチメントの吸気流路を形成する構成とした。
【０００９】
こうして、排気循環式の電機掃除機の吸気流路と排気流路の機能を十分利用して、伸縮機能を有する隙間用アタッチメントやブラシアタッチメントを容易に伸縮させることができ、また、隙間用アタッチメントを一体的に併設する連結パイプのスリム化と軽量化を達成することができる。
【００１０】
本発明の請求項２に係る電気掃除機は、電動機送風機を内蔵した掃除機本体に連結されるホース、連結パイプ及び吸込具アタッチメントに、吸気流路と電動送風機からの排気を還流する排気流路を形成し、前記ホースを内側ホースと外側ホースで構成し、内側ホースで吸気流路を外側ホースで排気流路を形成し、前記連結パイプの内側に吸気流路を、連結パイプの外側の一部に排気流路を形成してなる電気掃除機において、前記吸込具アタッチメントの一部に伸縮可能な部材を配置し、排気流路の循環風を利用して前記吸込具アタッチメントを延長させる構成とした。
【００１１】
本発明の請求項３に係る電気掃除機は、電動機送風機を内蔵した掃除機本体に連結されるホース、連結パイプ及び吸込具アタッチメントに、吸気流路と電動送風機からの排気を還流する排気流路を形成し、前記ホースを内側ホースと外側ホースで構成し、内側ホースで吸気流路を外側ホースで排気流路を形成し、前記連結パイプの内側に吸気流路を、連結パイプの外側の一部に排気流路を形成してなる電気掃除機において、前記吸込具アタッチメントの一部に伸縮可能な部材を配置し、吸気流路の吸引力を利用して前記吸込具アタッチメントを縮める構成とした。
【００１２】
本発明の請求項４に係る電気掃除機は、電動機送風機を内蔵した掃除機本体に連結されるホース、連結パイプ及び吸込具アタッチメントに、吸気流路と電動送風機からの排気を還流する排気流路を形成し、前記ホースを内側ホースと外側ホースで構成し、内側ホースで吸気流路を外側ホースで排気流路を形成し、前記連結パイプの内側に吸気流路を、連結パイプの外側の一部に排気流路を形成してなる電気掃除機において、前記吸込具アタッチメントの一部に伸縮可能な材料でなる蛇腹状の２重構造を有する部材を配置し、排気流路の循環風を利用して前記吸込具アタッチメントを延長させ、吸気流路の吸引力を利用して吸込具アタッチメントを縮める構成とした。
【００１３】
こうして、連結パイプの内側に吸気流路を外側の一部に排気流路を形成してなる電気掃除機において、運転を開始すると、蛇腹状の２重構造部の外側の蛇腹部と内側の蛇腹部との間の空間に排気循環風が送り込まれ、風圧により蛇腹状の２重構造部を延長することができるので、わざわざ使用者がブラシを延ばす作業を行なわなくてすみ、また、掃除が終了した時には、ブラシの先端を手で覆うことにより過速状態にして、排気圧より強い吸引力により蛇腹状の２重構造部を収縮させので、わざわざ使用者がブラシを縮める作業を行なわなくてすむ。
【００１４】
本発明の請求項５に係る電気掃除機は、電動機送風機を内蔵した掃除機本体に連結されるホース、連結パイプ及び吸込具に、吸気流路と電動送風機からの排気を還流する排気流路を形成し、前記ホースを内側ホースと外側ホースで構成し、内側ホースで吸気流路を外側ホースで排気流路を形成し、前記連結パイプの内側に吸気流路を、連結パイプの外側の一部に排気流路を形成してなる電気掃除機において、連結パイプと一体化された吸込具アタッチメントの排気流路になる部分を、吸気流路として切り替え利用可能とする構成とした。
【００１５】
本発明の請求項６に係る電気掃除機は、電動機送風機を内蔵した掃除機本体に連結されるホース、連結パイプ及び吸込具に、吸気流路と電動送風機からの排気を還流する排気流路を形成し、前記ホースを内側ホースと外側ホースで構成し、内側ホースで吸気流路を外側ホースで排気流路を形成し、前記連結パイプの内側に吸気流路を、連結パイプの外側の一部に排気流路を形成してなる電気掃除機において、前記連結パイプの延長上の吸気流路を形成する吸気パイプと、排気流路を形成する連結パイプと一体化された吸込具アタッチメントとは分割可能に構成され、前記吸気パイプと連結パイプと一体化された吸込具アタッチメントとを一体的に接合時には、通常の循環風の流路を形成し、分割して前記吸気パイプを取り外した時には、連結パイプと一体化された吸込具アタッチメントの通常の排気流路になる部分を、吸気流路として切り替え利用可能とする構成とした。
【００１６】
本発明の請求項７に係る電気掃除機は、電動機送風機を内蔵した掃除機本体に連結されるホース、連結パイプ及び吸込具に、吸気流路と電動送風機からの排気を還流する排気流路を形成し、前記ホースを内側ホースと外側ホースで構成し、内側ホースで吸気流路を外側ホースで排気流路を形成し、前記連結パイプの内側に吸気流路を、連結パイプの外側の一部に排気流路を形成してなる電気掃除機において、前記連結パイプの延長上の吸気流路を形成する吸気パイプと、排気流路を形成する連結パイプと一体化された吸込具アタッチメントとは分割可能に構成され、連結パイプの吸気流路の内面には循環風経路中に設けられた切り替え流路穴とそれを塞ぐシャッターが配設され、前記吸気パイプと連結パイプと一体化された吸込具アタッチメントとを一体的に接合時には、連結パイプの吸気流路の内面の前記穴を前記シャッターで塞いで通常の循環風の流路を形成し、分割して前記吸気パイプを取り外した時には、前記シャッターをスプリングの作用により連結パイプの通常の吸気流路を塞ぐ構成とし、連結パイプと一体化された吸込具アタッチメントの通常の排気流路になる部分を、吸気流路として切り替え利用可能とする構成とした。
【００１７】
こうして、連結パイプの内側に吸気流路を、連結パイプの外側の一部に排気流路を形成してなる電気掃除機において、連結パイプの延長上の吸気流路を形成する吸気パイプと、排気流路を形成する連結パイプと一体化された吸込具アタッチメントとは分割可能に構成し、吸気パイプを取り外した時には、前記吸込具アタッチメントの通常の排気流路になる部分を吸気流路として切り替え利用可能としたので、隙間掃除用として機能を果たし、別部品のアタッチメントを付け替える手間を省くことができる。また、連結パイプをスリム化、軽量化することができる。
【発明の効果】
【００１８】
このように、本発明の電気掃除機は、連結パイプの内側に吸気流路を外側の一部に排気流路を形成してなる電気掃除機において、吸気流路の吸気または排気流路の循環風の利用により吸込具アタッチメントの吸気流路の形態、即ち、延長したり縮めたりすることができる。この実施形態では、吸込具アタッチメントをドーナツ状のブラシとしたが、狭い場所の掃除を行なう場合には隙間用アタッチメントにも同様な構成を適用できる。
【００１９】
また、連結パイプの内側に吸気流路を、連結パイプの外側の一部に排気流路を形成してなる電気掃除機において、連結パイプの延長上の吸気流路を形成する吸気パイプと、排気流路を形成する連結パイプと一体化された吸込具アタッチメントとは分割可能に構成し、吸気パイプを取り外した時には、前記吸込具アタッチメントの通常の排気流路になる部分を吸気流路として切り替え利用可能としたので、隙間掃除用として機能を果たし、別部品のアタッチメントを付け替える手間を省くことができる。また、連結パイプをスリム化、軽量化することができる。
【発明を実施するための最良の形態】
【００２０】
本発明の電気掃除機の実施形態を図１〜図６を参照して説明する。図１は本発明の排気循環式の電気掃除機を示す全体構成の基本断面図であり、ホースの途中部分と床用吸込具は省略している。図２は同電機掃除機の本体部分の拡大断面図、図３は本発明の電気掃除機に使用する吸込具アタッチメントを連結パイプに接続した状態とアタッチメントの拡大断面図、図４は本発明の電機掃除機に用いる、連結パイプと一体化された隙間用アタッチメントと吸気パイプを併設装着した連結パイプの実施断面図、図５は連結パイプから吸気パイプを取り外した状態断面図、図６は本発明の電機掃除機の把手部と連結パイプと一体化された隙間用アタッチメントの使用状態断面図、図７は従来の排気循環式の電気掃除機の連結パイプ断面図である。
【００２１】
図１の本発明の新規な吸込具アタッチメントを装着可能な排気循環式の電気掃除機を示す全体構成の側面断面図と、図２の電気掃除機本体部分の拡大断面図によって排気循環式の電気掃除機の構成と動作の概要を説明する。１は掃除機本体で、図２に示すように上ケース２と、下ケース３と集塵蓋４から構成されており、掃除機本体１の前方側には後述する本体側ホース接続部１５が接続されるホース接続口５が形成され、後方側にはスリット状の排気穴６が形成されている。この掃除機本体１内の底部には、隔壁７により掃除機本体１内の上部空間と仕切られ、前記ホース接続口５と連通する排気流路８と、前記排気穴６と連通する外部排気流路とが形成されている。この隔壁７には隔壁７の上方の空間を前後に区画する区画壁が立設されている。
【００２２】
９は集塵室で、前方側に前記ホース接続口５と同心円上にホース差込口が形成されている。この集塵室９内には集塵袋１０を着脱自在に固定する集塵袋取付ケースが着脱自在に収納されており、装着状態で集塵袋１０の開口が前記集塵室９のホース差込口に対向するようにしている。１１は前記区画壁に取り付けられた微塵フィルタで、前記集塵袋１０の後方側に位置して微細な塵埃を除去するようになっている。
【００２３】
１２は前記区画壁の後方側に形成された電動送風機収納室で、内部に電動送風機１３が収納される。この電動機収納室１２の下方側には、電動機収納室１２と前記排気流路８及び外部排気流路を連通するように開口１４が形成されており、電動送風機１３の駆動により電動送風機１３からの排気が、下ケース３に立設されたリブにより分流され、前記開口１４から前記排気流路８を介してホース接続口５側に導かれると共に、一部は前記開口１４から外部排気流路、排気穴６に設けられた排気フィルタを介して排気穴６から掃除機本体１外に排気される。
【００２４】
１５は後述するホース２１に接続されてホース接続口５に装着される本体側ホース接続部で、円筒状の外側パイプ１６と、この外側パイプ１６に複数の支持リブにより一体形成された内側パイプ１７とからなる２重構造をしている。前記外側パイプ１６のホース接続口５に装着される一端側にはホース接続口５に設けられた被係止部に係止される係止爪が形成される一方、他端側にはネジ状に形成された外側リブ１８が管軸方向に対して傾斜して形成されている。
【００２５】
前記内側パイプ１７は、ホース接続口５に装着される一端側をホース差込口から集塵室９内に突出するように外側パイプ１６より長く形成されている。２０は本体側ホース接続部１５のホース２１が接続される側を覆うように設けられた円筒状のカバーである。
【００２６】
前記本体側ホース接続部１５は前記係止爪を前記掃除機本体１のホース接続口５に係止することで、前記本体側ホース接続部１５の内側パイプ１７が前記集塵室９内に突出して集塵室９内と連通し、内側パイプ１７内が吸気流路２２となる。また、外側パイプ１６は掃除機本体１内の排気流路８と連通し、外側パイプ１６と内側パイプ１７との間が排気流路２３となる。
【００２７】
２１は本体側ホース接続部１５及び把手部のホース接続部に装着されるホースで、外側ホース１８と内側ホース１９とからなる２重構造になっている。この際、内側ホース１９内は本体側ホース接続部１５の吸気流路に連通され、吸気流路２２となる一方、外側ホース１８と内側ホース１９との間は本体側ホース接続部１５の排気流路に連通され、排気流路２３となる。
【００２８】
２４は一端側にホース２１が接続され、他端側に連結パイプ２５、２５が装着される把手部で、連結パイプ２５が装着されるハンドル部２６と、一端側にホース２１が接続され、他端側がハンドル部２６に装着されるホース接続部とから構成されている。
【００２９】
前記ホース接続部は、円筒状の外側パイプと、この外側パイプに支持リブで一体形成された内側パイプとからなる２重構造をしており、ホース２１が接続される側を覆うようにカバーが設けられている。この際、外側パイプと内側パイプとの間はホース２１の排気流路２３と連通した排気流路となる。また、内側パイプ内はホース２１内の吸気流路２２と連通した吸気流路となる。
【００３０】
２５は把手部２４の装着口に装着される連結パイプで、２本のパイプ２５、２５を連結することで形成されている。この連結パイプ２５は、断面略円形の外側筒状部２７と、この外側筒状部２７と偏心し、上部が外側筒状部２７に一体形成された内側筒状部２８とから構成されており、内側筒状部２８と外側筒状部２７とで三日月状の空間を形成している。そして、この連結パイプ２５は把手部２４に装着した際に、内側筒状部２８が把手部２４の吸気流路に連通して内部に吸気流路２２を形成すると共に、外側筒状部２７及び内側筒状部２８の間は把手部２４の排気流路に連通して排気流路２３を形成する。連結パイプ２５には吸込具が接続される（図では床用吸込具を省略している）。
【００３１】
こうして、上記のように構成された電気掃除機の使用時には、電動送風機１３の吸引によって、吸込具（図示なし）から吸い込んだ塵埃の混じった空気が連結パイプ２５の吸気流路２２、ホース２１の吸気流路２２を通って掃除機本体１内に取り込まれる。掃除機本体１内では、集塵袋１０で塵埃が取り除かれ、更に微塵フィルタ１１を介して清浄化された空気が電動送風機１３に吸引され、その電動送風機を冷却する。
【００３２】
そして、電動送風機１３からの排気の一部は掃除機本体１の排気穴６から外部へ排出され、その他は掃除機本体１の排気流路８からホース２１の排気流路２３を通る。そして、ホース２１の排気流路２３を通った後は、連結パイプ２５の排気流路２３を通って、吸込具に環流し、この排気風により舞い上げられた塵埃と共に再び連結パイプ２５の吸気流路２２へと循環することになる。
【００３３】
上述の如く排気の一部を還流させることにより、外部へ吹き出される排気風が低減し弱くなるので、掃除中の部屋の埃が舞い上がるのを効果的に抑制することができる。
【実施例１】
【００３４】
このような排気循環式の電機掃除機において、新規な吸込具アタッチメントを装着した第１の実施形態について以下に説明する。図３（Ａ）は本発明の電気掃除機に使用する吸込具アタッチメントを連結パイプに接続した状態図、図３（Ｂ）は隙間用アタッチメントの拡大断面図である。
【００３５】
図３（Ａ）、（Ｂ）において、２５は連結パイプ、２２は吸気流路、２３は排気流路、３０は吸込具アタッチメント、３１はアタッチメント３０のパイプ部、３２は連結パイプ２５内への挿入部、アタッチメント３０のパイプ部３１とドーナツ状のブラシ３６の中間に、吸込具アタッチメントの一部に、塩化ビニールあるいはゴム等の伸縮可能な材料でなる蛇腹状の２重構造部３３を形成する。
【００３６】
蛇腹状の２重構造部３３は外側の蛇腹部３４と内側の蛇腹部３５により構成されている。吸込具アタッチメントを用いて掃除を行なう場合には、連結パイプ２５内へ吸込具アタッチメント３０の挿入部３２を嵌合して、この外側の蛇腹部３４と内側の蛇腹部３５との間の空間に、連結パイプ２３の排気流路２３を連結する。
【００３７】
この状態で、電機掃除機を運転すると、蛇腹状の２重構造部３３の外側の蛇腹部３４と内側の蛇腹部３５との間の空間に排気循環風が送り込まれ、風圧により蛇腹状の２重構造部３３を延長することができる。これにより、わざわざ使用者がブラシを延ばす作業を行なわなくてすみ、ドーナツ状のブラシ３６の内部を吸気させることにより、吸気流路に沿ってゴミを吸い上げ掃除を行なうことができる。
【００３８】
また、掃除が終了した時には、ブラシ３６の先端を手で覆うことにより過速状態にして、排気圧より強い吸引力により蛇腹状の２重構造部３３を収縮させ、電動送風機１３の電源スイッチをオフにする。これにより、わざわざ使用者がブラシを縮める作業を行なわなくてすむ。
【００３９】
このように、連結パイプの内側に吸気流路を外側の一部に排気流路を形成してなる電気掃除機において、吸気流路または排気流路の利用により吸込具アタッチメントの吸気流路の形態、即ち、延長したり縮めたりすることができる。この実施形態では、吸込具アタッチメントをドーナツ状のブラシとしたが、狭い場所の掃除を行なう場合には隙間用アタッチメントにも同様な構成を適用できる。
【実施例２】
【００４０】
次に、排気循環式の電機掃除機において、新規な吸込具アタッチメントを装着した第２の実施形態について、従来の排気循環用パイプと対比させて、図４乃至図６を参照して以下に説明する。図７は従来の排気循環式の電気掃除機の連結パイプ断面図である。図７で図１、図２のものと同等物には同じ符号を付している。
【００４１】
図７において、連結パイプ２５の内側筒状部２８が内部に吸気流路２２を形成すると共に、外側筒状部２７及び内側筒状部２８の間は排気流路２３を形成する。電気掃除機の使用時には、電動送風機１３の吸引によって、吸込具（図示なし）から吸い込んだ塵埃の混じった空気が連結パイプ２５の吸気流路２２、ホース２１の吸気流路２２を通って掃除機本体１内に取り込まれる。そして、電動送風機１３からの排気の大部分はホース２１の排気流路２３を通った後は、連結パイプ２５の排気流路２３を通って、排気放出口２９に環流し、再び連結パイプ２５の吸気流路２２へと循環している。
【００４２】
これに対して、本発明の連結パイプは新規なものである。図４は本発明の電機掃除機に用いる、連結パイプと一体化された隙間用アタッチメント（ノズルブシ）と吸気パイプを併設装着した連結パイプの実施断面図を示す。図において、４０は吸気パイプであり、その内側は吸気流路２２を形成している。４１は吸込具アタッチメントに相当する隙間ノズルであり、その内側は排気流路２３を形成している。隙間ノズル４１は把手２４のハンドル２６に接続されたメインの連結パイプ２５に一体的に形成されている。
【００４３】
吸気パイプ４０と隙間ノズル４１は分割可能に構成されている。通常の床用吸込具を装着時は、吸気パイプ４０の挿入部４６がメインの連結パイプ２５の内部に挿入され、嵌合部４６で気密に嵌合連結され一体的に装着される。
【００４４】
４２はメインの連結パイプ２５の吸気流路の内面には循環風経路中に設けられた切替え流路穴、４３は切替え流路穴４２を塞ぐシャッターであり、４４は弾性力でメインの連結パイプの吸気流路を塞ぐようにシャッター４３を駆動するスプリングである。
【００４５】
従って、前記吸気パイプ４０の挿入部４６と、メインの連結パイプ２５と一体化された吸込具アタッチメント４１とを嵌合部４７で気密に嵌合連結した時には、連結パイプの吸気流路の内面の前記穴４２を前記シャッター４３がスプリング４４の弾性力に抗して塞ぎ、通常の循環風の流路を形成する。
【００４６】
図５はメインの連結パイプから吸気パイプを取り外した状態断面図であり、吸気パイプ４０と、連結パイプ２５と一体化された吸込具アタッチメント４１とを、分割して吸気パイプ４０を取り外した時には、シャッター４３はスプリングの復元力により連結パイプの通常の吸気流路を塞ぐことになり、通常の排気流路２３になる部分を、メインの連結パイプ２５と一体化された吸込具アタッチメント４１の吸気流路４８として切り替え利用でき、ノズル口４５からゴミを吸引できる。
【００４７】
図６はメインの連結パイプから吸気パイプを取り外し、本発明の電機掃除機の把手部と連結パイプと一体化された吸引用アタッチメント（ノズルブラシ）の使用状態断面図である。図に示すように、シャッター４３はスプリングの復元力により連結パイプの通常の吸気流路を塞ぐことになり、通常の排気流路２３になる部分を、メインの連結パイプ２５と一体化された吸込具アタッチメント４１の吸気流路４８として切り替え利用でき、使用者は把手部２４を握り、ノズル口４５からゴミを矢印の流路で吸引できる。
【００４８】
このように、連結パイプ２５の内側に吸気流路を、連結パイプ２５の外側の一部に排気流路を形成してなる電気掃除機において、連結パイプ２５の延長上の吸気流路を形成する吸気パイプ４０と、排気流路を形成する連結パイプと一体化された吸込具アタッチメント４１とは分割可能に構成した。そして、吸気パイプ４１を取り外した時には、前記吸込具アタッチメント４１の通常の排気流路になる部分を吸気流路として切り替え利用可能としたので、隙間掃除用として機能を果たし、別部品のアタッチメントを付け替える手間を省くことができる。また、連結パイプをスリム化、軽量化することができる。
【図面の簡単な説明】
【００４９】
【図１】本発明の排気循環式の電気掃除機を示す全体構成の側面断面図。
【図２】同電機掃除機の本体部分の拡大断面図。
【図３】吸込具アタッチメントを連結パイプへの接続図とアタッチメントの拡大断面図（実施例１）。
【図４】連結パイプと一体化された隙間用アタッチメントと吸気パイプを併設装着した実施断面図（実施例２）。
【図５】連結パイプから吸気パイプを取り外した状態断面図。
【図６】本発明の電機掃除機の把手部と連結パイプ一体化の隙間用アタッチメントの使用状態断面図。
【図７】従来の排気循環式の電気掃除機の連結パイプ断面図。
【符号の説明】
【００５０】
１            電気掃除機本体
５            ホース接続口
６            排気穴
７            
８，２３      排気流路
９            集塵室
１０          集塵袋
１１          微塵フィルタ
１２          電動送風機収納室
１３          電動送風機
１５          本体側ホース接続部
１６，１７    外側、内側パイプ
１８、１９    外側、内側ホース
２１          ホース
２２          吸気流路
２４          把手部
２５          連結パイプ
２６          ハンドル部
２７，２８    外側、内側筒状部
２９          排気放出口
３０          吸込具アタッチメント
３１          アタッチメント３０のパイプ部
３３          蛇腹状の２重構造部
３４，３５    外側、内側の蛇腹部
３６          ドーナツ状のブラシ
４０          吸気パイプ
４１          隙間ノズル
４２          切替え流路穴
４３          シャッター
４４          スプリング
４５          ノズル口
【図１】
2006174868.tif 000003
【図２】
2006174868.tif 000004
【図３】
2006174868.tif 000005
【図４】
2006174868.tif 000006
【図５】
2006174868.tif 000007
【図６】
2006174868.tif 000008
【図７】
2006174868.tif 000009